(57)【要約】【課題】  操作部材の操作範囲の測定を簡便にしかも３次元的に行うことができる操作部材の操作範囲測定装置を提供する。【解決手段】  操作部材の操作範囲測定装置において、操作部材基板１と、この操作部材基板１のＸ軸及びＹ軸方向にマトリックス状に配置され、かつ前記操作操作基板１のＺ軸方向に変位可能であるようにして前記操作操作基板１に挿通された操作部材２とを具備し、この操作部材２の先端に固定される球状体３を操作者が操作することにより、操作者による前記操作部材２の操作範囲を３次元的に測定する。【選択図】  図４
2013202302.tif 000002
【特許請求の範囲】
【請求項１】
操作部材基板と、該操作部材基板のＸ軸及びＹ軸方向にマトリックス状に配置され、かつ前記操作部材基板のＺ軸方向に変位可能であるようにして前記操作部材基板に挿通された操作部材とを具備し、操作者による前記操作部材の操作範囲を３次元的に測定することを特徴とする操作部材の操作範囲測定装置。
【請求項２】
請求項１記載の操作部材の操作範囲測定装置において、前記操作部材の前記Ｘ軸及びＹ軸方向の位置と前記Ｚ軸方向の変位量とを測定することを特徴とする操作部材の操作範囲測定装置。
【請求項３】
請求項１又は２記載の操作部材の操作範囲測定装置において、前記操作部材の先端に固定される球状体を具備することを特徴とする操作部材の操作範囲測定装置。
【請求項４】
請求項３記載の操作部材の操作範囲測定装置において、前記球状体は電気的な照光表示を行うための表示ランプを内蔵することを特徴とする操作部材の操作範囲測定装置。
【請求項５】
請求項４記載の操作部材の操作範囲測定装置において、前記電気的な照光表示が前記表示ランプの点灯であることを特徴とする操作部材の操作範囲測定装置。
【請求項６】
請求項４記載の操作部材の操作範囲測定装置において、前記電気的な照光表示が前記表示ランプの点滅であることを特徴とする操作部材の操作範囲測定装置。
【請求項７】
請求項４、５又は６記載の操作部材の操作範囲測定装置において、前記電気的な照光表示が色の切り換えによる前記表示ランプの照光表示であることを特徴とする操作部材の操作範囲測定装置。
【発明の詳細な説明】
【技術分野】
【０００１】
本発明は、操作部材の操作範囲測定装置に関するものである。
【背景技術】
【０００２】
従来、操作部材の操作範囲を測定する場合には、操作する手や指の先端の動きを撮像装置などを用いて計測するようにしていた。
【先行技術文献】
【特許文献】
【０００３】
【特許文献１】なし
【非特許文献】
【０００４】
【非特許文献１】なし
【発明の概要】
【発明が解決しようとする課題】
【０００５】
しかしながら、上記したような撮像装置によって操作する手や指の先端の動きを撮影する方法では、手や指の映像上の位置変化から具体的な操作部材の操作範囲を割り出すことになるので、その操作範囲の確定が面倒であり、実際的ではなかった。また、操作部材が複数設けられている場合、操作者がどの操作部材を操作したかの特定も影響された映像から判別しなければならず、間接的な測定であり、効率的ではなかった。
【０００６】
本発明は、上記状況に鑑みて、操作部材の操作範囲の３次元的測定を簡便に行うことができる、操作部材の操作範囲測定装置を提供することを目的とする。
【課題を解決するための手段】
【０００７】
本発明は、上記目的を達成するために、
〔１〕操作部材の操作範囲測定装置において、操作部材基板と、この操作部材基板のＸ軸及びＹ軸方向にマトリックス状に配置され、かつ前記操作部材基板のＺ軸方向に変位可能であるようにして前記操作部材基板に挿通された操作部材とを具備し、操作者による前記操作部材の操作範囲を３次元的に測定することを特徴とする。
【０００８】
〔２〕上記〔１〕記載の操作部材の操作範囲測定装置において、前記操作部材の前記Ｘ軸及びＹ軸方向の位置と前記Ｚ軸方向の変位量とを測定することを特徴とする。
〔３〕上記〔１〕又は〔２〕記載の操作部材の操作範囲測定装置において、前記操作部材の先端に固定される球状体を具備することを特徴とする。
〔４〕上記〔３〕記載の操作部材の操作範囲測定装置において、前記球状体は電気的な照光表示を行うための表示ランプを内蔵することを特徴とする。
【０００９】
〔５〕上記〔４〕記載の操作部材の操作範囲測定装置において、前記電気的な照光表示が前記表示ランプの点灯であることを特徴とする。
〔６〕上記〔４〕記載の操作部材の操作範囲測定装置において、前記電気的な照光表示が前記表示ランプの点滅であることを特徴とする。
〔７〕上記〔４〕、〔５〕又は〔６〕記載の操作部材の操作範囲測定装置において、前記電気的な照光表示が色の切り換えによる前記表示ランプの照光表示であることを特徴とする。
【発明の効果】
【００１０】
本発明によれば、操作部材の操作範囲測定装置において操作部材の操作範囲の３次元測定を簡便に行うことができる。
したがって、操作者による操作部材の３次元操作範囲の確定により、操作部材の操作の適否の診断や操作者のリハビリに用いるための用具として利用することができる。
【図面の簡単な説明】
【００１１】
【図１】本発明の実施例を示す操作部材の操作範囲測定装置の斜視図を示す図面代用写真である。
【図２】本発明の実施例を示す操作部材の操作範囲測定装置の操作状態を示す図面代用写真である。
【図３】本発明の実施例を示す操作部材の操作範囲測定装置の正面模式図である。
【図４】本発明の実施例を示す操作部材の操作範囲測定装置の操作例を示す模式図である。
【図５】本発明の実施例を示す操作部材の操作範囲測定装置の制御システムを示すブロック図である。
【図６】本発明の実施例を示す操作部材の操作範囲測定装置における操作部材の照光表示例（その１）を示す模式図である。
【図７】本発明の実施例を示す操作部材の操作範囲測定装置における操作部材の照光表示例（その２）を示す模式図である。
【発明を実施するための形態】
【００１２】
本発明の操作部材の操作範囲測定装置は、操作部材基板と、この操作部材基板のＸ軸及びＹ軸方向にマトリックス状に配置され、かつ前記操作部材基板のＺ軸方向に変位可能であるようにして前記操作部材基板に挿通された操作部材とを具備し、操作者による操作部材の操作範囲を３次元的に測定する。
【実施例】
【００１３】
以下、本発明の実施の形態について詳細に説明する。なお、本発明において、「操作範囲測定」とは操作者が操作した操作部材の変位量の測定のみならず、操作者が操作した操作部材の位置（すなわち、操作部材が後述する操作部材基板上のＸ，Ｙ軸方向のどこに位置するか）の測定も含むものとする。
図１は本発明の実施例を示す操作部材の操作範囲測定装置の斜視図を示す図面代用写真、図２はその操作部材の操作範囲測定装置の操作状態を示す図面代用写真、図３はその操作部材の操作範囲測定装置の正面模式図、図４はその操作部材の操作範囲測定装置の操作例を示す模式図、図５はその操作部材の操作範囲測定装置の制御システムを示すブロック図である。
【００１４】
これらの図において、１は操作部材基板、２はこの操作部材基板１のＸ軸及びＹ軸方向にマトリックス状に配置され、操作者によるプッシュ・プル操作によってＺ軸方向に変位可能であるようにして操作部材基板１に挿通された操作部材、３はその操作部材２の先端部に固定される球状体、４は操作部材２に設けられた導電性環状体（目盛）、５は操作部材基板１への操作部材２の挿入孔、６は操作部材基板１の挿入孔５近傍に配置されるセンサ、１１は操作部材２の操作範囲測定装置の制御システム、１２はＣＰＵ（中央処理装置）、１３は記憶部、１４は電源部、１５は電源部１４のＩ／Ｆ（インタフェース）部、１６は操作部材２のＸ軸検知部、１７はＸ軸検知部１６のＩ／Ｆ部、１８は操作部材２のＹ軸検知部、１９はＹ軸検知部１８のＩ／Ｆ部、２０は操作部材２のＺ軸変位量測定部、２１はＺ軸変位量測定部２０のＩ／Ｆ部、２２は球状体３からなる表示ランプの点灯スイッチ、２３は点灯スイッチ２２のＩ／Ｆ部、２４は表示ランプの点滅スイッチ、２５は点滅スイッチ２４のＩ／Ｆ部、２６は表示ランプの切り換えスイッチ（色変換スイッチ）、２７は表示ランプの切り換えスイッチ２６のＩ／Ｆ部である。なお、図４におけるＡ−Ａは操作部材２のホームポジションを示している。
【００１５】
このように構成したことにより、操作者が操作部材２を操作すると、Ｘ軸検知部１６及びＹ軸検知部１８によって、操作された操作部材２のＸ軸位置、Ｙ軸位置が検知され、検知されたデータは記憶部１３に記憶される。また、操作者が操作部材２を操作することによって操作部材２がＺ軸方向に変位すると、操作部材２に設けられた導電性環状体からなる目盛４がセンサ６で読み取られる。センサ６で読み取られた目盛６から操作部材２がホームポジションＡからどれだけ変位したかを示すＺ軸方向の変位量がＺ軸変位量測定部２０によって測定され、測定されたデータは同様に記憶部１３に記憶される。このようにして、操作部材の操作範囲を３次元的に測定することができる。
【００１６】
また、操作部材２の先端部に固定される球状体３は表示ランプとしての機能を有しており、点灯スイッチ２２、点滅スイッチ２４、及び切り換えスイッチ２６のオン・オフによって、どの操作部材２を操作すべきかを操作者に対して指示することができる。
このように、球状体３（表示ランプ）の表示によって操作すべき操作部材２を特定して操作者に操作させ、実際に操作者が操作した操作部材２のＸ軸及びＹ軸位置、ならびにそのＺ軸変位量を測定し記録することができる。
【００１７】
以下、操作部材基板１における操作部材２の球状体３の３次元位置とその表示ランプの態様について模式図とともに説明する。
操作部材の操作範囲測定装置において、図４に示すように、操作部材２の球状体３はその球状体３の操作を支援するための電気的な表示を行う。つまり、球状体３内に例えば表示ランプを設けて、その球状体３の表示ランプを電気的に照光させて、プッシュ・プル操作を行うべき球状体３がどれであるかを操作者に対して特定するための照光案内表示を行うように構成する。照光の形態として、例えば、次に挙げる形態が考えられる。
【００１８】
（１）図６に示すように、表示ランプの点灯スイッチ２２をオンにすることにより、特定の操作部材２の球状体３Ａを点灯させて、プッシュ・プル操作を行うべき操作部材２を操作者に対して指定する。
（２）図７に示すように、表示ランプの点滅スイッチ２４をオンにすることにより、特定の操作部材２の球状体３Ｂを点滅させて、プッシュ・プル操作を行うべき操作部材２を操作者に対して指定する。
【００１９】
（３）図示しないが、表示ランプの切り換えスイッチ２６をオンにすることにより、特定の操作部材２の球状体３を異なる色で照光させて、プッシュ・プル操作を行うべき操作部材２を操作者に対して指定する。
なお、上記（１）〜（３）を組み合わせることができる。例えば、複数の操作部材２の球状体３を点灯させた状態から、そのうち任意の１つの球状体３を点灯から点滅表示に切り換えたり、点灯表示色を変化させたりして、操作すべき操作部材２を指定することができる。
【００２０】
本発明によれば、上記したように、マトリックス状に配置されている操作部材を操作者に操作させて、その測定結果によって操作部材の操作範囲の３次元測定を実施することができる。よって、本発明の操作部材の操作範囲測定装置によって操作部材の操作範囲の３次元測定を簡便に行うことができる。
特に、操作部材基板上にマトリックス状に配置された操作部材のいずれの操作を行うべきかが的確に案内され、迅速にして確実な操作部材の操作範囲の測定を支援することができる。
【００２１】
したがって、操作者による操作部材の３次元操作範囲の確定が簡便に行えるようになり、操作部材の操作の適否の診断や操作者のリハビリに用いられる用具として利用することができる。
なお、本発明は上記実施例に限定されるものではなく、本発明の趣旨に基づき種々の変形が可能であり、これらを本発明の範囲から排除するものではない。
【産業上の利用可能性】
【００２２】
本発明の操作部材の操作範囲測定装置は、操作部材の操作範囲の３次元的な測定を簡便に行うことができる、操作部材の操作範囲測定装置として利用可能である。
【符号の説明】
【００２３】
１    操作部材基板
２    操作部材
３，３Ａ，３Ｂ    操作部材の先端部に固定される球状体
４    操作部材に設けられた導電性環状体（目盛）
５    操作部材基板への操作部材の挿入孔
６    操作部材の挿入孔近傍に配置されるセンサ
１１    操作部材の操作範囲測定装置の制御システム
１２    ＣＰＵ（中央処理装置）
１３    記憶部
１４    電源部
１５    電源部のＩ／Ｆ（インタフェース）部
１６    操作部材のＸ軸検知部
１７    Ｘ軸検知部のＩ／Ｆ部
１８    操作部材のＹ軸検知部
１９    Ｙ軸検知部のＩ／Ｆ部
２０    操作部材のＺ軸変位量測定部
２１    Ｚ軸変位量測定部のＩ／Ｆ部
２２    表示ランプの点灯スイッチ
２３    点灯スイッチのＩ／Ｆ部
２４    表示ランプの点滅スイッチ
２５    点滅スイッチのＩ／Ｆ部
２６    表示ランプの切り換えスイッチ（色変換スイッチ）
２７    表示ランプの切り換えスイッチのＩ／Ｆ部
【図１】
2013202302.tif 000003
【図２】
2013202302.tif 000004
【図３】
2013202302.tif 000005
【図４】
2013202302.tif 000006
【図５】
2013202302.tif 000007
【図６】
2013202302.tif 000008
【図７】
2013202302.tif 000009